【手続補正書】
【提出日】平成16年11月9日(2004.11.9)
【手続補正１】
【補正対象書類名】明細書
【補正対象項目名】発明の名称
【補正方法】変更
【補正の内容】
【発明の名称】指示装置、印刷制御装置、出力情報見積方法および出力情報見積プログラム
【手続補正２】
【補正対象書類名】明細書
【補正対象項目名】特許請求の範囲
【補正方法】変更
【補正の内容】
【特許請求の範囲】
【請求項１】
印刷制御装置を介して出力装置に印刷ジョブの処理を指示する指示装置において、
前記印刷ジョブの出力条件を設定する出力条件設定手段と、
前記出力装置の装置属性を蓄積する装置属性蓄積手段と、
前記出力条件設定手段で設定した出力条件と前記装置属性蓄積手段で蓄積された装置属性とに基づいて出力情報を見積る見積手段と、
前記見積手段で見積った出力情報を表示する表示手段と
を具備することを特徴とする指示装置。
【請求項２】
前記出力情報を保持する出力情報保持手段
を更に具備し、
前記出力条件設定手段で設定された出力条件に一致する出力情報が前記出力情報保持手段に保持されている場合は、
前記見積手段は、出力情報の見積りを省略し、
前記表示手段は、前記出力情報保持手段に保持されている出力情報を表示する
ことを特徴とする請求項１記載の指示装置。
【請求項３】
前記装置属性蓄積手段は、
複数の出力装置の装置属性を蓄積し、
前記見積手段は、
前記複数の出力装置毎の属性情報に基づいて出力情報を見積る
ことを特徴とする請求項２記載の指示装置。
【請求項４】
前記見積手段は、
前記出力条件設定手段により、前記複数の出力装置への分散出力若しくは同報出力が設定された際に、該設定された複数の出力装置全ての出力情報を見積る
ことを特徴とする請求項３記載の指示装置。
【請求項５】
前記出力情報は、
前記印刷ジョブを処理する処理時間であり、
前記表示手段は、
前記出力条件設定手段により、前記複数の出力装置への分散出力若しくは同報出力が設定された際に、前記見積手段により見積られた処理時間のうち、最も遅い処理時間、最も優先度の高い出力装置の処理時間のいずれかを表示する
ことを特徴とする請求項４記載の指示装置。
【請求項６】
原稿を読み取る入力装置を制御する入力装置制御手段を
更に具備し、
前記見積手段は、
前記入力装置による原稿読取時間と前記出力装置による出力時間との和を前記処理時間として見積る
ことを特徴とする請求項５記載の指示装置。
【請求項７】
前記表示手段は、
前記処理時間を前記入力装置による原稿読取時間と前記出力装置による出力時間とに分別して表示する
ことを特徴とする請求項５記載の指示装置。
【請求項８】
指示装置から指示された印刷ジョブを蓄積管理し、前記印刷ジョブを出力装置に割り当てる制御を行う印刷制御装置において、
前記指示装置とデータの送受信を行う通信手段と、
前記出力装置の装置属性を蓄積する装置属性蓄積手段と、
前記通信手段で受信した出力条件と前記装置属性蓄積手段で蓄積された装置属性とに基づいて出力情報を見積る見積手段とを具備し、
前記見積手段で見積った出力情報を前記通信手段で前記指示装置に送信する
ことを特徴とする印刷制御装置。
【請求項９】
前記出力情報を保持する出力情報保持手段
を更に具備し、
前記通信手段で受信した出力条件に一致する出力情報が前記出力情報保持手段に保持されている場合は、
前記見積手段は、出力情報の見積りを省略し、前記出力情報保持手段に保持されている出力情報を前記通信手段で前記指示装置に送信する
ことを特徴とする請求項８記載の印刷制御装置。
【請求項１０】
印刷ジョブを蓄積管理する印刷制御装置にネットワークを介して指示装置と出力装置が接続される印刷システムの出力情報見積方法において、
前記指示装置で印刷ジョブの出力条件を設定し、
前記出力装置の装置属性を蓄積し、
前記出力条件と前記装置属性とに基づいて出力情報を見積り、
該見積った出力情報を表示する
ことを特徴とする出力情報見積方法。
【請求項１１】
前記出力情報を保持し、
前記出力条件に一致する出力情報が保持されている場合は、出力情報の見積りを省略し、
前記保持されている出力情報を表示する
ことを特徴とする請求項１０記載の出力情報見積方法。
【請求項１２】
複数の出力装置の装置属性を蓄積し、
前記複数の出力装置毎の属性情報に基づいて出力情報を見積る
ことを特徴とする請求項１１記載の出力情報見積方法。
【請求項１３】
前記複数の出力装置への分散出力若しくは同報出力が設定された際に、該設定された複数の出力装置全ての出力情報を見積る
ことを特徴とする請求項１２記載の出力情報見積方法。
【請求項１４】
前記出力情報は、前記印刷ジョブを処理する処理時間であり、
前記複数の出力装置への分散出力若しくは同報出力が設定された際に、前記見積られた処理時間のうち、最も遅い処理時間、最も優先度の高い出力装置の処理時間のいずれかを表示する
ことを特徴とする請求項１３記載の出力情報見積方法。
【請求項１５】
原稿を読み取る入力装置による原稿読取時間と前記出力装置による出力時間との和を前記処理時間として見積る
ことを特徴とする請求項１４記載の出力情報見積方法。
【請求項１６】
前記処理時間を前記入力装置による原稿読取時間と前記出力装置による出力時間とに分別して表示する
ことを特徴とする請求項１４記載の出力情報見積方法。
【請求項１７】
印刷ジョブを蓄積管理する印刷制御装置にネットワークを介して指示装置と出力装置が接続される印刷システムの出力情報見積プログラムにおいて、
前記印刷ジョブの出力条件を出力条件設定手段により設定する処理と、
前記出力装置の装置属性を装置属性蓄積手段に蓄積する処理と、
前記出力条件と前記装置属性とに基づいて出力情報を見積手段により見積る処理と、
該見積った出力情報を表示手段に表示する処理と
を前記指示装置に動作させることを特徴とする出力情報見積プログラム。
【手続補正３】
【補正対象書類名】明細書
【補正対象項目名】０００１
【補正方法】変更
【補正の内容】
【０００１】
【産業上の利用分野】
本発明は、指示装置、印刷制御装置、出力情報見積方法および出力情報見積プログラムに関し、特に、設定した印刷指示に対する処理時間を算出することで、効率および操作性が向上する指示装置、印刷制御装置、出力情報見積方法および出力情報見積プログラムに関する。
【手続補正４】
【補正対象書類名】明細書
【補正対象項目名】０００６
【補正方法】変更
【補正の内容】
【０００６】
そこで、本発明は、プリンタ等に対して印刷ジョブの処理要求を行う前に、印刷ジョブに対して設定する出力条件等に基づいて処理時間を算出してユーザに通知することで、印刷ジョブ処理時の待機時間の低減やユーザの必要性に合った処理時間を得られる出力条件等を設定することが可能になり、ユーザの利便性および操作性を向上することができる指示装置、印刷制御装置、出力情報見積方法および出力情報見積プログラムを提供することを目的とする。
【手続補正５】
【補正対象書類名】明細書
【補正対象項目名】００２２
【補正方法】変更
【補正の内容】
【００２２】
また、請求項１６の発明は、請求項１４の発明において、前記処理時間を前記入力装置による原稿読取時間と前記出力装置による出力時間とに分別して表示することを特徴とする。
また、請求項１７の発明は、印刷ジョブを蓄積管理する印刷制御装置にネットワークを介して指示装置と出力装置が接続される印刷システムの出力情報見積プログラムにおいて、前記印刷ジョブの出力条件を出力条件設定手段により設定する処理と、前記出力装置の装置属性を装置属性蓄積手段に蓄積する処理と、前記出力条件と前記装置属性とに基づいて出力情報を見積手段により見積る処理と、該見積った出力情報を表示手段に表示する処理とを前記指示装置に動作させることを特徴とする。
【手続補正６】
【補正対象書類名】明細書
【補正対象項目名】００２３
【補正方法】変更
【補正の内容】
【００２３】
【発明の実施の形態】
以下、本発明に係る指示装置、印刷制御装置、出力情報見積方法および出力情報見積プログラムの実施の形態について添付図面を参照して詳細に説明する。